【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
以下の（i）から（iii）のいずれかの顆粒球コロニー刺激因子活性を有する分泌性ポリペプチド：
（i）配列番号：8もしくは配列番号：8aに記載のアミノ酸配列を含むポリペプチド、または配列番号：8もしくは配列番号：8aに記載のアミノ酸配列から成るポリペプチド；または
（ii）（i）のポリペプチドのフラグメントであるポリペプチド；または
（iii）（i）もしくは（ii）のポリペプチドと90％を越える配列同一性を有するポリペプチド；または
（iv）その配列が配列番号：8もしくは配列番号：8aに記載されるポリペプチドの成熟形態であるポリペプチド。
【請求項２】
配列番号：8もしくは配列番号：8aの配列に由来する７つまたはそれより多い（例えば８、10、12、14、16、18、20またはそれより多い）アミノ酸残基から成る請求項１記載のフラグメント。
【請求項３】
cDNA分子であって、請求項１又は２記載のポリペプチドをコードする精製核酸分子。
【請求項４】
配列番号：7もしくは配列番号：7aに記載の核酸配列を有するか、またはそのフラグメントである請求項３に記載の精製核酸分子。
【請求項５】
請求項３または４記載の核酸分子を含むベクター。
【請求項６】
請求項５に記載のベクターで形質転換されたホスト細胞。
【請求項７】
請求項１または２記載のポリペプチドと特異的に結合し、さらに好ましくは請求項１または２記載のポリペプチドの分泌タンパク質活性、特に顆粒球コロニー刺激活性を阻害する抗体。
【請求項８】
疾患の治療または診断に使用するための、請求項１または２記載のポリペプチド、請求項３または４記載の核酸分子、請求項５記載のベクター、請求項６記載のホスト細胞または請求項７記載の抗体。
【請求項９】
患者に由来する組織で、請求項１または２記載のポリペプチドをコードする天然の遺伝子の発現レベルをインビトロで判定するか、または請求項１または２記載のポリペプチドの活性を判定し、さらに前記発現レベルまたは活性レベルをコントロールレベルと比較することを含み、前記コントロールレベルと異なるレベルは疾患を示唆する、患者の疾患を診断する方法。
【請求項１０】
（ａ）請求項６記載のホスト細胞を生物学的サンプルと、リガンド-ポリペプチド複合体の形成に適した条件下で接触させる工程；および（ｂ）前記複合体を検出する工程を含む、請求項９記載の方法。
【請求項１１】
（ａ）患者由来の組織サンプルを核酸プローブと、請求項３または４記載の核酸分子と前記プローブとの間でハイブリッド複合体の形成を許容するストリンジェントな条件下で接触させる工程；
（ｂ）コントロールサンプルを前記プローブと工程（ａ）で用いた条件と同じ条件下で接触させる工程；さらに、
（ｃ）前記サンプルにおけるハイブリッド複合体の存在を検出する工程を含み、
コントロールサンプルのハイブリッド複合体のレベルと異なる患者サンプルのハイブリッド複合体レベルの検出が疾患を示唆する、請求項９記載の方法。
【請求項１２】
（ａ）患者の組織由来の核酸サンプルを核酸プライマーと、請求項３または４記載の核酸分子と前記プライマーとの間でハイブリッド複合体の形成を許容するストリンジェントな条件下で接触させる工程；
（ｂ）コントロールサンプルを前記プライマーと工程（ａ）で用いた条件と同じ条件下で接触させる工程；
（ｃ）前記サンプルの核酸を増幅させる工程；および、
（ｄ）患者サンプルおよびコントロールサンプルの両サンプルの増幅核酸レベルを検出する工程、を含み、
コントロールサンプルの増幅核酸レベルと顕著に異なる患者サンプルの増幅核酸レベルの検出は疾患を示唆する、請求項９記載の方法。
【請求項１３】
前記疾患が、細胞増殖性疾患、自己免疫／炎症性疾患、心脈管系疾患、神経障害、発育異常、代謝異常、感染および他の病的状態、好ましくは免疫異常、例えば自己免疫疾患、慢性関節リウマチ、変形性関節症、乾癬、全身性紅斑性狼瘡および多発性硬化症、炎症性疾患、例えばアレルギー、鼻炎、結膜炎、糸球体腎炎、ブドウ膜炎、クローン病、潰瘍性大腸炎、炎症性腸疾患、膵炎、消化器系炎症、敗血症、内毒素ショック、敗血症性ショック、悪疫質、筋肉痛、強直性脊椎炎、重症筋無力症、ウイルス感染後消耗症候群、肺疾患、呼吸窮迫症候群、喘息、慢性塞栓性肺疾患、気道炎症、創傷治癒、子宮内膜症、皮膚疾患、ベーチェット病、腫瘍性疾患、例えばメラノーマ、肉腫、腎腫瘍、大腸腫瘍、血液疾患、骨髄増殖性疾患、ホジキン病、骨粗しょう症、肥満、糖尿病、痛風、心脈管系疾患、再灌流障害、アテローム性硬化症、虚血性心疾患、心不全、発作、肝疾患、エイズ、エイズ関連合併症、神経障害、男性不妊症、加齢および感染（マラリア原虫感染、細菌感染およびウイルス感染、特に５型ヒトヘルペスウイルス（サイトメガロウイルス）感染を含む）、さらには特に血液病、白血球疾患（白血球減少症、薬物性白血球減少症及び白血病を含む）、骨髄移植、骨髄疾患、創傷治癒、免疫病、例えば移植片対宿主病及びクローン病、新生物疾患、黒色腫、固形癌、高脂質血症、高ホスファターゼ血症、貧血症、虚血、卒中、血管疾患、血栓症、血栓塞栓症、梗塞及び感染、特に真菌感染症及び細菌感染から選択される請求項９から１２のいずれか１項記載の方法。
【請求項１４】
顆粒球コロニー刺激因子様タンパク質としての請求項１または２記載のポリペプチドの使用。
【請求項１５】
請求項１または２記載のポリペプチド、請求項３または４記載の核酸分子、請求項５記載のベクターまたは請求項７記載の抗体を含む医薬組成物。
【請求項１６】
請求項１または２記載のポリペプチドまたは請求項３または４記載の核酸分子を含むワクチン組成物。
【請求項１７】
以下の疾患の治療用医薬の製造で使用される、請求項１または２記載のポリペプチド、請求項３または４記載の核酸分子、請求項５記載のベクター、請求項７記載の抗体または請求項１５に記載の医薬組成物：細胞増殖性疾患、自己免疫／炎症性疾患、心脈管系疾患、神経障害、発育異常、代謝異常、感染および他の病的状態、好ましくは免疫異常、例えば自己免疫疾患、慢性関節リウマチ、変形性関節症、乾癬、全身性紅斑性狼瘡および多発性硬化症、炎症性疾患、例えばアレルギー、鼻炎、結膜炎、糸球体腎炎、ブドウ膜炎、クローン病、潰瘍性大腸炎、炎症性腸疾患、膵炎、消化器系炎症、敗血症、内毒素ショック、敗血症性ショック、悪疫質、筋肉痛、強直性脊椎炎、重症筋無力症、ウイルス感染後消耗症候群、肺疾患、呼吸窮迫症候群、喘息、慢性塞栓性肺疾患、気道炎症、創傷治癒、子宮内膜症、皮膚疾患、ベーチェット病、腫瘍性疾患、例えばメラノーマ、肉腫、腎腫瘍、大腸腫瘍、血液疾患、骨髄増殖性疾患、ホジキン病、骨粗しょう症、肥満、糖尿病、痛風、心脈管系疾患、再灌流障害、アテローム性硬化症、虚血性心疾患、心不全、発作、肝疾患、エイズ、エイズ関連合併症、神経障害、男性不妊症、加齢および感染（マラリア原虫感染、細菌感染およびウイルス感染、特に５型ヒトヘルペスウイルス（サイトメガロウイルス）感染を含む）、さらには特に血液病、白血球疾患（白血球減少症、薬物性白血球減少症及び白血病を含む）、骨髄移植、骨髄疾患、創傷治癒、免疫病、例えば移植片対宿主病及びクローン病、新生物疾患、黒色腫、固形癌、高脂質血症、高ホスファターゼ血症、貧血症、虚血、卒中、血管疾患、血栓症、血栓塞栓症、梗塞及び感染、特に真菌感染症及び細菌感染。
【請求項１８】
請求項１または２記載のポリペプチドの発現もしくは活性レベル、または請求項３または４記載の核酸分子の発現レベルを患者由来の組織においてある期間モニターすることを含む、エキソビボで患者の疾患の治療をモニターする方法であって、コントロールのレベルに対して前記期間の間の発現または活性のレベルの変化が前記疾患の退縮の指標である前記疾患の治療をモニターする方法。
【請求項１９】
請求項１または２記載のポリペプチドまたは請求項３または４記載の核酸分子を、前記ポリペプチドまたは核酸分子に対し結合親和性を有すると思われる1つまたは2つ以上の化合物と接触させ、さらに前記核酸分子またはポリペプチドと特異的に結合する化合物を選別することを含む、疾患の治療および／または診断で有効な化合物の同定方法。
【請求項２０】
請求項３または４記載の核酸分子とストリンジェントな条件下でハイブリダイズする核酸プローブを含む第一の容器；前記核酸分子の増幅に有用なプライマーを含む第二の容器；および疾患の診断を促進するために前記プローブおよびプライマーを使用するための指示を含む疾患の診断に有用なキット。
【請求項２１】
さらにハイブリダイズしないRNAを消化するための物質を収納する第三の容器を含む請求項２０のキット。
【請求項２２】
核酸分子のアレイを含むキットであって、前記核酸分子の少なくとも１つが請求項３または４記載の核酸分子である、前記キット。
【請求項２３】
請求項１または２記載のポリペプチドと結合する１つまたは２つ以上の抗体、および前記抗体と前記ポリペプチドとの間の結合反応を検出するために有用な試薬を含むキット。
【請求項２４】
請求項１または２記載のポリペプチドをより高いレベルで又はより低いレベルで発現する、または発現しない、形質転換された非ヒトトランスジェニック動物またはノックアウト動物。
【請求項２５】
請求項２４記載の非ヒトトランスジェニック動物を候補化合物と接触させ、さらに前記動物の疾患に対する前記化合物の作用を決定することによって、疾患の治療に有効な化合物をスクリーニングする方法。